(57)【要約】【課題】  尾錠で連結されるバンドを有する腕時計において、尾錠の挿通棒が挿入される係合孔を穿孔することなく、強靭で、しかも美麗なバンドを得ること。【解決手段】  一方のバンド２３と、他方のバンド２５と、これら両バンド２３と２５を連結する尾錠２６とを有する腕時計２０において、少なくとも他方のバンド２５は、複数の可撓性の紐状部材２７が帯状に編み込まれて形成される。他方のバンド２５には多数の編目が形成される。尾錠２６の挿通棒３３が、他方のバンド２５における編目の１つに挿通されることにより、他方のバンド２５が尾錠２６に連結される。【選択図】      図３
2005245482.tif 000002
【特許請求の範囲】
【請求項１】
一端でケースに連結された一方のバンドと、
一端で時計ケースに連結された他方のバンドと、
一方のバンドの他端に連結され、他方のバンドに連結される尾錠と、
を含む腕時計であって、
他方のバンドは、複数の可撓性の紐状部材が帯状に編み込まれて成り、
尾錠の挿通棒が、他方のバンドの編目に挿通されることにより、他方のバンドが尾錠に連結される腕時計。
【請求項２】
請求項１に記載の腕時計であって、
他方のバンドが、紐状部材を交互に交叉させて編み込まれて成り、その紐状部材が交叉する部分に一連の編目が形成されているバンドである腕時計。
【請求項３】
請求項２に記載の腕時計であって、
他方のバンドが、バンドの長手方向に沿ってバンドの中央を通る中心線に沿って並ぶ、編目を備えた腕時計。
【請求項４】
請求項１から３のいずれかに記載の腕時計であって、
他方のバンドが、紐状部材を四つ編みに編み込まれて成る腕時計。
【請求項５】
請求項１から４のいずれかに記載の腕時計であって、
他方のバンドが、その他端を覆う被覆部材を備えた腕時計。
【請求項６】
請求項１から４のいずれかに記載の腕時計であって、
他方のバンドを構成する紐状部材が皮紐である腕時計。
【請求項７】
請求項１から４のいずれかに記載の腕時計であって、
他方のバンドを構成する紐状部材が、合成樹脂、あるいはゴムから成る腕時計。
【請求項８】
請求項１から４のいずれかに記載の腕時計であって、
他方のバンドを構成する紐状部材が、可撓性のある金属線材である腕時計。
【請求項９】
請求項１から８のいずれかに記載の腕時計であって、
他方のバンドにおける紐状部材のうち、少なくとも１つの紐状部材の色調は、他の紐状部材の色調とは異なる腕時計。
【発明の詳細な説明】
【技術分野】
【０００１】
本発明は、腕時計、特に尾錠によってバンドが締結される腕時計に関する。
【背景技術】
【０００２】
腕時計のバンドを連結するための中留は、バンドの種類、あるいは用途に応じて、実に多くの形態を含む。それらの中でも、尾錠は、皮革製バンドや合成樹脂製バンド用の中留として、極めて広く用いられている。図１は、その最も一般的な形態を示す。
尾錠１は、ほぼＵ字型を成す枠体２と、細い棒状の挿通棒３で構成される。枠体２、および挿通棒３は、連結ピン４によって、一方のバンド５の端部に回転可能に連結されている。
また、他方のバンド６は、バンドの長手方向に沿って一定の間隔をもって穿設された、複数の係合孔７を備える。
周知のように、尾錠の枠体２の内側に挿通された他方のバンド６の係合孔７の１つに、尾錠の挿通棒３が挿通され、他方のバンド６は尾錠１に連結される。
【０００３】
また、細い紐状のバンドに対して、尾錠と同様に、挿通棒を備える中留が用いられた腕時計も、すでに知られている（たとえば、特許文献１参照）。
図２はその腕時計を示す平面図である。
この図に示される腕時計は、可撓性を有する二本の皮革製の紐状部材１０を組み合わせてなる一方のバンド１３と、同様に構成される他方のバンド１４とを備える。一方のバンド１３と他方のバンド１４は、時計ケース１５に連結される。むすび目を結束部１１として、輪状のループ部１２が、一方のバンド１３に一定の間隔をおいて設けられる。他方のバンド１４の端部に、挿通棒としてトグル１６が取り付けられる。
そして、他方のバンド１４のトグル１６が、一方のバンド１３のループ部１２に插通されることにより、一方のバンド１３と他方のバンド１４とが連結される。
【０００４】
【特許文献１】登録実用新案第２５１８１２６号公報（第１〜３頁、第１〜２図）
【発明の開示】
【発明が解決しようとする課題】
【０００５】
さて、前述した、尾錠１によって一方のバンド５と他方のバンド６とが連結される構造では、挿通棒が挿通されるための複数の係合孔７が、他方のバンドに穿設される必要がある。しかしながら、この多数の係合孔７の穿設は、バンドの強度をかなり低下させる。よって、バンドが切れやすくなってしまうという問題がある。
バンドの強度を高めるために、他方のバンドに穿設される係合孔の数を減らすと、腕時計にとって、様々な手首の太さに対応した長さ調整が難しくなってしまう。
さらに、このような多くの係合孔は、バンドの美観、ひいては腕時計の美観をしばしば損ねてしまうことがあった。
【０００６】
また、前述の図２に示す紐状部材を組み合わせてなるバンドにおいては、トルグ１６が挿通されるループ部１２が結束により形成される。トルグ１６が挿通される係合孔を穿設する必要がないので、バンドの強度は低下しない。また、このようなループ部１２は、腕時計に新しい趣きのある美観を与える。
しかしながら、このループ部は、柔軟に撓むので、極めて容易に拡開してしまう。すると、挿通棒であるトルグが、拡開したループ部から抜脱して、一方のバンドと他方のバンドが意図せずに離間してしまう。これにより、腕時計が手首から不用意に落下してしまう
という問題がある。
さらに、ループ部の端部が手首からぶら下がって揺動したり、ひいては袖口などに引っかかったりするので、腕時計の装着感が悪いという問題もある。
【０００７】
本発明は、上述の欠点を解消するものであり、その目的は以下の通りである。
（１）本発明の第１の目的は、一方のバンドと他方のバンドとが尾錠を介して連結される腕時計であって、バンドの強度が高い腕時計を提供することである。
（２）本発明の第２の目的は、一方のバンドと他方のバンドとが尾錠を介して連結される腕時計であって、優れた外観を呈する腕時計を提供することである。
（３）本発明の第３の目的は、一方のバンドと他方のバンドとが尾錠を介して連結される腕時計であって、一方のバンドと他方のバンドとが不用意に離間しない腕時計を提供することである。
（４）本発明の第４の目的は、一方のバンドと他方のバンドとが尾錠を介して連結される腕時計であって、装着感に優れた腕時計を提供することである。
【課題を解決するための手段】
【０００８】
上記目的を達成するため、本発明の腕時計は、請求項１に記載された通り、
「一端でケースに連結された一方のバンドと、
一端で時計ケースに連結された他方のバンドと、
一方のバンドの他端に連結され、他方のバンドに連結される尾錠と、
を含む腕時計であって、
他方のバンドは、複数の可撓性の紐状部材が帯状に編み込まれて成り、
尾錠の挿通棒が、他方のバンドの編目に挿通されることにより、他方のバンドが尾錠に連結される」ものである。
【０００９】
このように、本発明の腕時計は、紐状部材が帯状に編み込まれた編みバンドの編目に、尾錠の挿通棒が挿通されるようにしたので、この編みバンドは係合孔の穿設を必要としない。加えて、この編みバンドは帯状に堅固に編み込まれているので、高い強度を維持できる。
【００１０】
また、紐状部材が編み込まれた編目は、従来の皮革バンドの係合孔のように、明らかな貫通孔として視認されない。この編目は、編みバンドの編み柄として、風雅な美観を編みバンドに与える。
編みバンドを成す紐状部材が可撓性を備えるため、尾錠の挿通棒は、編みバンドの編目を弾性的に拡開して、容易に挿通される。よって、本発明の腕時計では、尾錠と編みバンドが容易に連結される。
そして、紐状部材に弾性変形をする柔軟な素材を採用すれば、尾錠の挿通棒が、編みバンドの編目より抜脱されると、編みバンドの編目は再び弾性的に収縮する。すると、編目が常に広がってしまうことがないので、長期にわたる編みバンドの強度と美観が保証される。
【００１１】
また、編みバンドの編目は、紐状部材が帯状に編み込まれて形成されるので、従来の紐状バンドの環状部のように、不用意に拡開してしまうことがない。よって、編目に挿通された尾錠の挿通棒が、意図せずに、編目から抜脱することがない。
これは、尾錠を介した一方のバンドと他方のバンドとの確実な連結を実現する。
【００１２】
さらにまた、編みバンドは帯状に編み込まれているので、従来の紐状バンドの環状部のように、手首からぶら下がって揺動したり、どこかに引っかかったりすることがない。よって、本発明の腕時計は、良好な装着感を実現する。
【００１３】
また、本発明の腕時計における他方のバンド、すなわち編みバンドは、
「紐状部材を交互に交叉させて編み込まれて成り、その紐状部材が交叉する部分に一連の編目が形成されている」ものであることが好ましい。
すると、腕時計の装着者は、一連の編目の中から、手首の太さに合わせて、最も適切な編目を選んで、尾錠の挿通棒を挿通できる。これにより、腕時計の周長を手首の太さに合わせて調整できるので、良好な装着感が実現される。
このような編みバンドは、たとえば紐状部材を三つ編みや四つ編みで帯状に編み込めば得られる。
【００１４】
また、本発明の腕時計における他方のバンド、すなわち編みバンドは、
「バンドの長手方向に沿ってバンドの中央を通る中心線に沿って並ぶ、編目を備えた」ものであることが好ましい。
このように編目が並ぶと、尾錠の挿通棒を編目に挿通しやすくなるので、編みバンドを尾錠に連結させる操作が容易になる。
【００１５】
また、本発明の腕時計における他方のバンド、すなわち編みバンドは、
「他方のバンドが、その他端を覆う被覆部材を備えた」ものであることが好ましい。
すると、被覆部材によって、帯状に編み込まれた紐状部材がほどけないので、編みバンドの強度がさらに高くなる。また、尾錠の枠体の内側に編みバンドを挿通する時、被覆部材によって、編みバンドが尾錠の枠体に引っかかることがない。よって、編みバンドが円滑に尾錠の枠体を通るので、編みバンドを尾錠に連結させる操作が容易になる。
【００１６】
また、本発明の腕時計における他方のバンド、すなわち編みバンドは、
「紐状部材を四つ編みに編み込まれて成る」ものであっても良い。
すると、編みバンドに風雅な美観が付与される。
【００１７】
また、本発明の腕時計における他方のバンド、すなわち編みバンドを構成する紐状部材は、皮紐であっても良い。
この場合、皮紐は、天然皮革から成る紐であっても、合成皮革から成る紐であっても良い。たとえば、皮紐は、芯材の外周に、天然皮革、あるいは合成皮革から成る表材を接合したものであっても良い。
【００１８】
また、本発明の腕時計における編みバンドを構成する紐状部材は、合成樹脂の紐、あるいはゴム紐であっても良い。
また、本発明の腕時計における編みバンドを構成する紐状部材は、可撓性のある金属線材であっても良い。あるいは、複数の細い金属線材を編み込んだ紐状の部材であっても良い。
【００１９】
また、本発明の腕時計における他方のバンド、すなわち編みバンドは、
「複数の紐状部材のうち、少なくとも１つの紐状部材の色調は、他の紐状部材の色調とは異なる」ものであることが好ましい。たとえば、すべての紐状部材の色調が、互いに異なるようにしても良い。
すると、様々な色調を呈する紐状部材が編み込まれるので、編みバンドの美観がさらに向上する。
紐状部材が皮紐である場合、皮紐を構成する天然皮革、あるいは合成皮革は、たとえば様々な色調に染色され得る。紐状部材が合成樹脂、あるいはゴムである場合も、合成樹脂やゴムは、すでに周知の通り、様々な色調を呈することができる。
紐状部材が可撓性のある金属線材である場合、金属線材には、塗装、湿式めっき、あるいは乾式めっきなどの手法で、様々な色調が付与される。またあるいは、金属線材がアルミニウムやアルミニウム合金である場合、アルマイト処理によって、金属線材は様々な色
調に染色される。
【発明の効果】
【００２０】
以上、説明したごとく、本発明は下記の効果を奏する。
（１）本発明によれば、一方のバンドと他方のバンドとが尾錠を介して連結される腕時計であって、バンドの強度が高い腕時計が提供される。
（２）本発明によれば、一方のバンドと他方のバンドとが尾錠を介して連結される腕時計であって、優れた外観を呈する腕時計が提供される。
（３）本発明によれば、一方のバンドと他方のバンドとが尾錠を介して連結される腕時計であって、一方のバンドと他方のバンドとが不用意に離間しない腕時計が提供される。
（４）本発明によれば、一方のバンドと他方のバンドとが尾錠を介して連結される腕時計であって、装着感に優れた腕時計が提供される。
【発明を実施するための最良の形態】
【００２１】
以下、本発明の最良の実施形態について説明するが、本発明は、これらの実施形態により何ら限定されるものではない。
【００２２】
（実施例１）
図３は本発明の実施例１による腕時計全体を示す平面図、図４はバンドの一部を示す平面図、図５はバンドの一部拡大平面図である。
その腕時計２０は、腕時計ケース２１、一方のバンド２３、他方のバンド２５、および尾錠２６を有する。ケース２１に突出して形成された、一対に脚部より成る一方の連結脚２２に、一方のバンド２３の一端が回転可能に連結される。同様に、ケース２１に突出して形成された、一対に脚部より成る他方の連結脚２４に、他方のバンド２５の一端が回転可能に連結される。そして、尾錠２６が、一方のバンド２３の他端に回転可能に連結される。
【００２３】
各バンド２３と２４は、図５に示すように、４本の可撓性の紐状部材２７を帯状に編むことにより形成される。このような紐状部材２７の編み方は、四つ編みと呼ばれる。
その紐状部材２７は、可撓性の芯材２７ａを皮革製の表材２７ｂで包むことにより形成されている。芯材２７ａと表材２７ｂとは、接着、熱圧着、あるいは縫い合わせなどの方法により接合される。表材２７ｂに用いられる皮革は、天然皮革であっても、合成皮革であってもよい。
【００２４】
４本の紐状部材２７は、赤色の紐状部材３０Ｒ、黄色の紐状部材３０Ｙ、青色の紐状部材３０Ｂ、および緑色の紐状部材３０Ｇよりなる。これらの色調は、表材２７ｂを染色して得られる。４本の紐状部材２７それぞれの色調は、このような組み合わせ以外にも様々に選択され得る。
【００２５】
図５に示すように、４本の紐状部材２７は、バンドの長手方向に対して傾斜し、互いに交叉するように帯状に編まれる。これら紐状部材２７が交差する交叉部において、編目が形成される。これら多くの編目の中に、図７に示されるように、バンドの中央をバンドの長手方向に通る中央線Ａに沿って、一定間隔に、編目３１が形成される。これら編目３１が形成されるように、各バンド２３と２４の紐状部材２７は帯状に編み込まれる。
【００２６】
一方のバンド２３の他端に連結される尾錠２６は、ほぼＵ字型を成す枠体３２と、細い棒状の挿通棒３３とを含む。
図６、および図９に示すように、可撓性のある平板状の連結用カバー３４が、一方のバンド２３の他端に被せられる。この連結用カバー３４は、バンド２３と同様に、皮革から成る。連結用カバー３４の両端部が、一方のバンド２３の他端に、接着、熱圧着、あるい
は縫い合わせなどの方法により接合される。
一方のバンド２３の他端と連結用カバー３４との間の隙間が、バンドの幅方向に沿った貫通孔として形成される。枠体３２と挿通棒３３は、この貫通孔に挿通された連結ピン３５により、一方のバンド２３の他端に回転可能に連結される。連結ピン３５として、たとえばばね棒が採用される。
【００２７】
一方のバンド２３の一端は、図６に示すように、環状に折り返されて、バンド２３の本体部に接合される。この接合には、接着、熱圧着、あるいは縫い合わせなどの方法が採用される。よって、一方のバンド２３の一端に、バンドの幅方向に沿った貫通孔を備える、折り返し環状部２３ａが形成される。
この折り返し環状部２３ａにおける貫通孔内に、たとえばばね棒のような連結ピン３６が挿通される。折り返し環状部２３ａは、ケース２１における一方の連結脚２２の間に挿入され、連結ピン３６によって、一方の連結脚２２に連結される。
【００２８】
同様に、他方のバンド２５の一端は、図８に示すように、環状に折り返されて、バンド２５の本体部に接合される。この接合には、接着、熱圧着、あるいは縫い合わせなどの方法が採用される。よって、他方のバンド２５の一端に、バンドの幅方向に沿った貫通孔を備える、折り返し環状部２５ａが形成される。
この折り返し環状部２５ａにおける貫通孔内に、たとえばばね棒のような連結ピン３７が挿通される。折り返し環状部２５ａは、ケース２１における他方の連結脚２４の間に挿入され、連結ピン３７によって、他方の連結脚２４に連結される。
【００２９】
他方のバンド２５の他端には、図７、あるいは図８に示すように、被覆部材３８が接合される。被覆部材３８は、他方のバンド２５の表側、および裏側に接合される、２枚の平板状のカバーから成る。この接合には、接着、熱圧着、あるいは縫い合わせなどの方法が採用される。
この被覆部材３８によって、帯状に編み込まれた紐状部材２７がほどけないので、他方のバンド２５の強度が高くなる。
【００３０】
図１０は、挿通棒３３を他方のバンド２５の編目３１の一つに挿入する状態を示す斜視図である。また、図１１は挿入後の状態を示す平面図である。
これらの図に示されるように、まず、腕時計２０の使用者は、腕時計２０を手首に載せて、一方のバンド２３に連結された尾錠２６の枠体３２の内側に、他方のバンド２５を挿通する。このとき、他方のバンド２５は、被覆部材２８によって、枠体３２に引っかかることなく、枠体３２の内側に容易に挿通される。
そして、腕時計２０の使用者は、他方のバンド２５における一連の編目３１の中から、自分の手首の太さに合わせて、適切な編目１つを選び、それに尾錠２６の挿通棒３３を挿通させる。
よって、一方のバンド２３と他方のバンド２５が尾錠２６を介して連結される。すなわち、編目３１が図１に示す従来のバンドの係合孔７の役を果たしている。
【００３１】
この実施例１では、一方のバンド２３と他方のバンド２５双方が、紐状部材２７を帯状に編み込んだ編みバンドとしたが、他方のバンド２５を尾錠２６に連結するには、少なくとも他方のバンド２５が編みバンドであればよい。一方のバンドの材質や形態は、どのようなものであってもよい。しかしながら、一方のバンド２３と他方のバンド２５双方を編みバンドにすれば、腕時計に特有な美観が付与される。
【００３２】
また、この実施例１では、紐状部材２７を四つ編みに帯状に編み込んで編みバンドとしたが、バンドの中央をバンドの長手方向に通る中央線に沿って、一定間隔に、編目が形成されるならば、紐状部材をどのように編んでもよい。たとえば、紐状部材を三つ編みに帯
状に編み込んで編みバンドとしてもよい。
（実施例２）
【００３３】
図１２は本発明の実施例２を示す側面図である。
この実施例２では、実施例１における一方のバンドと他方のバンドがつながって、一本のバンド４０となっている。バンド４０は、時計ケース４１の連結脚に連結された、たとえばばね棒が採用される連結ピン４２、４３と、ケース４１の間を通って、ケース４１の下側に挿通される。従って、バンドとケースの連結構造が簡単となっている。他の構造は実施例１と同じである。
このように、本発明における一方のバンドと他方のバンドとは、便宜的な呼称にすぎないものであり、分離した２本のバンドに限らず、１本のバンドをも含む。
【００３４】
以上の実施例では、紐状部材が皮紐である場合について述べたが、紐状部材は、合成樹脂、あるいはゴムであっても良い。あるいは、紐状部材は、可撓性のある金属線材であってもよい。
【図面の簡単な説明】
【００３５】
【図１】従来の皮バンドを示す斜視図である。
【図２】従来の腕時計を示す平面図である。
【図３】本発明の実施例１による腕時計全体を示す平面図である。
【図４】バンドの一部を示す平面図である。
【図５】バンドの一部の拡大平面図である。
【図６】一方のバンドの部分を示す側面図である。
【図７】他方のバンドの部分を示す平面図である。
【図８】他方のバンドの部分を示す側面図である。
【図９】尾錠部分を示す拡大斜視図である。
【図１０】挿通棒を他方のバンドにおける編目の一つに挿入する状態を示す斜視図である。
【図１１】挿入後の状態を示す平面図である。
【図１２】本発明の実施例２を示す側面図である。
【符号の説明】
【００３６】
１  尾錠
２  枠体
３  挿通棒
４  連結ピン
５  一方のバンド
６  他方のバンド
７  係合孔
１０  紐状部材
１１  結束部
１２  ループ部
１３  一方のバンド
１４  他方のバンド
１５  ケース
１６  トルグ
２０  腕時計
２１  ケース
２２  一方の連結脚
２３  一方のバンド
２３ａ  環状部
２４  他方の連結脚
２５  他方のバンド
２５ａ  環状部
２６  尾錠
２７  紐状部材
２７ａ  芯材
２７ｂ  表材
３０Ｒ  赤色の紐状部材
３０Ｙ  黄色の紐状部材
３０Ｂ  青色の紐状部材
３０Ｇ  緑色の紐状部材
３１  編目
３２  枠体
３３  挿通棒
３４  連結用カバー
３５  連結ピン
３６  連結ピン
３７  連結ピン
３８  被覆部材
４０  バンド
４１  ケース
４２  連結ピン
４３  連結ピン
【図１】
2005245482.tif 000003
【図２】
2005245482.tif 000004
【図３】
2005245482.tif 000005
【図４】
2005245482.tif 000006
【図５】
2005245482.tif 000007
【図６】
2005245482.tif 000008
【図７】
2005245482.tif 000009
【図８】
2005245482.tif 000010
【図９】
2005245482.tif 000011
【図１０】
2005245482.tif 000012
【図１１】
2005245482.tif 000013
【図１２】
2005245482.tif 000014